(57)【要約】【課題】主ビニールシートを多く降ろすか（密閉）、多く降ろしたものを少し引き上げるだけの操作で、密閉、換気が行え、換気中に雨が降っても、雨が内部に吹込むのが防止できる植物育成用ビニールハウスの両側面の換気用具を提供する。【解決手段】上記換気用具を、逆Ｕ字形の主フレーム１の左右の脚部１Ｌ、１Ｒの外面に垂直に接触する上下方向に細長い内面片１１と、この内面片１１の上下の各端部に接合し、上記主ビニールシート４Ｌ、４Ｒが上下動する際に接触する弓形の外面片１２とを備え、上記内面片１１の上下には左右の脚部１Ｌ、１Ｒと係合する係合部１３と、下部ビニールシートの上縁部を取付けた横桟２を受入れる横溝１４が設けられた一体の主体部材１０と、弓形の外面片１２を外に向けて主体部材１０の上下を左右の脚部１Ｌ、１Ｒに対し固定する固定部材２０とから構成した。【選択図】  図１
2004321037.tif 000002
【特許請求の範囲】
【請求項１】
垂直な左右の脚部を有する逆Ｕ字形の複数の主フレームを前後方向に所定の間隔で一列に地上に立て並べ、上記主フレームの左の脚部の列と、右の脚部の列を地上から一定の高さの位置を横桟により連結し、上縁を上記横桟に取付けた下部ビニールシートの下縁を地上に固定してこの下部ビニールシートにより地上と左右の横桟との間を塞ぎ、主フレームの頂部の列に沿って左の脚部の列と、右の脚部の列に沿い左右の主ビニールシートを上下動可能に設けた植物育成用ビニールハウスの両側面の換気用具であって、
上記左や右の脚部の外面に垂直に接触する上下方向に細長い内面片と、この内面片の上下の各端部に接合し、上記主ビニールシートが上下動する際に接触する弓形の外面片とを備え、上記内面片の上下には左や右の脚部と係合する係合部と、下部ビニールシートの上縁部を取付けた横桟を受入れる横溝が設けられた一体の主体部材と、弓形の外面片を外に向けて主体部材の上下を左や右の脚部に対し固定する固定部材とからなることを特徴とする植物育成用ビニールハウスの両側面の換気用具。
【請求項２】
請求項１記載の植物育成用ビニールハウスの両側面の換気用具において、主体部材の内面片と外面片との間を補強部材で結合し、補強したことを特徴とする植物育成用ビニールハウスの両側面の換気用具。
【発明の詳細な説明】
【０００１】
【発明の属する技術分野】
この発明は、植物育成用ビニールハウスの左右の側面に外気を取入れるための空間を生じさせる換気用具に関する。
【０００２】
【従来の技術】
植物育成用ビニールハウスは、一般的に、図６に示すように構成されており、垂直な左右の脚部１Ｌ、１Ｒを有する逆Ｕ字形の複数の主フレーム１を前後方向に所定の間隔で一列に地上Ｇに立て並べ、上記主フレームの左の脚部の列１Ｌ，１Ｌ…と、右の脚部の列１Ｒ，１Ｒ…の地上から一定の高さの位置、例えば５０〜６０ｃｍを横桟２により連結し、上縁を上記横桟２に取付けた下部ビニールシート３の下縁を地上Ｇに固定してこの下部ビニールシート３により地上Ｇと左右の横桟２，２との間を塞ぎ、主フレーム１の頂部の列に沿って左の脚部の列１Ｌ，１Ｌ…と、右の脚部の列１Ｒ，１Ｒ…に沿い換気装置３０により左右の主ビニールシート４Ｌ，４Ｒ（図示省略）の上方への巻き上げや下方への巻き降ろしが可能に構成されている。換気装置３０は、主ビニールシート４Ｌ（４Ｒ）の一端を巻き付けたパイプ５と、パイプ５の一端を出力軸６を介して結合した回転駆動部材７と、回転駆動部材７に入力軸を介して結合したハンドル８とで構成されている。この場合、動力伝達機構と出力軸と入力軸とは一体に回転駆動部材７のハウジング９内に内蔵され、ハウジング９の端部にはハンドル８が設けられ、又このハウジング９は地上に起立するガイドパイプＰに上下移動自在に保持されている。パイプ５に主ビニールシート４Ｌ（４Ｒ）の下端を巻き付け、ハンドル８を回転するとパイプ５が回動し、パイプ５は主ビニールシート４Ｌ（４Ｒ）を巻き取りながら上昇する。主ビニールシート４Ｌ（４Ｒ）の巻き取り部４ａが下部ビニールシートの上縁を取付けた横桟２よりも上に上昇することで、主ビニールシート４Ｌ（４Ｒ）の下方に換気用の空間Ｓが形成され、ハンドル５を反対方向に回動すると主ビニールシート１は巻き戻されて空間Ｓを遮断する。こうして、換気装置３０を使用して左右の主ビニールシート４Ｌ（４Ｒ）の巻き取り部４ａを図６の二点鎖線の位置まで降ろすと、その下部が左右の下部ビニールシートの外に重なって密閉し、ハウスの内部を保温するが、そのままではハウスの内部が高温、多湿になり、植物の育成に悪影響を及ぼす。そのため、時々は、左右の主ビニールシートを図６の実線の位置まで上昇し、主ビニールシートの下縁と下部ビニールシートの上縁との間に換気用の空間Ｓを形成し、この空間Ｓを通じハウスの内部に通風していた。この状態で雨が降ると、雨が上記空間Ｓからハウスの内部に吹き込み、湿度が高まり、過湿になり植物の育成に悪影響が生じる。
【０００３】
このため、主フレームの左と右の脚部の、下部ビニールシートを取付けた横桟よりも上の位置に、クランク型張り出し棒の上端部と下端部とを枢着し、クランク型張り出し棒が脚部よりも外に張り出したり、脚部と同一垂直面になるようにすることを可能にし、換気を行う際は左や右の脚部に取付けた全部のクランク型張り出し棒を外に向け、これにより下部ビニールシートの外に重なっている主ビニールシートの下方部分を下部ビニールシートの外に離し、主ビニールシートの下方部分と下部ビニールシートとの間にハウス内部に雨が吹き込まない空間を形成することが公知である。（例えば特許文献１参照）
【０００４】
【特許文献１】
登録実用新案第３０３２１６３号公報
【０００５】
【発明が解決しようとする課題】
上記クランク型張り出し棒によってハウス内部に雨が吹き込まない空間を形成するには、左や右の脚部に枢着して取付けた全部のクランク型張り出し棒を一つ宛、外に向って回動させ、逆に主ビニールシートの下方部分を下部ビニールシートの外に重ねて上記空間を閉じるには同様に全部のクランク型張り出し棒を９０度回動させ、脚部と同一垂直面になるようにしなければならず、非常に手数と時間がかかる。
【０００６】
【課題を解決するための手段】
この発明は、上述した問題点を解消するために開発されたもので、本発明の植物育成用ビニールハウスの両側面の換気用具は、垂直な左右の脚部を有する逆Ｕ字形の複数の主フレームを前後方向に所定の間隔で一列に地上に立て並べ、上記主フレームの左の脚部の列と、右の脚部の列を地上から一定の高さの位置を横桟により連結し、上縁を上記横桟に取付けた下部ビニールシートの下縁を地上に固定してこの下部ビニールシートにより地上と左右の横桟との間を塞ぎ、主フレームの頂部の列に沿って左の脚部の列と、右の脚部の列に沿い左右の主ビニールシートを上下動可能に設けた植物育成用ビニールハウスの両側面の換気用具であって、上記左や右の脚部の外面に垂直に接触する上下方向に細長い内面片と、この内面片の上下の各端部に接合し、上記主ビニールシートが上下動する際に接触する弓形の外面片とを備え、上記内面片の上下には左や右の脚部と係合する係合部と、下部ビニールシートの上縁部を取付けた横桟を受入れる横溝が設けられた一体の主体部材と、弓形の外面片を外に向けて主体部材の上下を左や右の脚部に対し固定する固定部材とからなることを特徴とする。尚、主体部材の内面片と外面片との間を補強部材で結合し、補強しておくことが好ましい。
【０００７】
【発明の実施の形態】
図１は、本発明による換気用具の一実施の形態であって、図１（ａ）は弓形の外面片側から見た斜視図、図１（ｂ）は反対の内面片側から見た斜視図で、主体部材１０はビニールハウスの左や右の脚部１Ｌ、１Ｒの外面に垂直に接触する上下方向に細長い内面片１１と、この内面片１１の上下の各端部に接合し、主ビニールシート４Ｌ，４Ｒの巻き取り部４ａが上下動する際に主ビニールシート４Ｌ，４Ｒが接触する弓形の外面片１２とを備え、上記内面片１１の上下には左や右の脚部１Ｌや１Ｒを間に位置させて係合する二対の爪状の係合部１３と、内面片１１の上下の中間に下部ビニールシート３の上端部を取付けた横桟２を受入れる横溝１４とが設けられている。
【０００８】
上記主体部材１０は合成樹脂の一体成形品であってよく、この場合、真直ぐな内面片１１と弓形の外面片１２との間を一体の補強材１５で結合し、補強しておくことが好ましい。
【０００９】
２０は上記主体部材１０と共に換気用具を構成し、弓形の外面片１２を外に向けて主体部材１０の上下を主フレーム１の左や右の脚部１Ｌや１Ｒに対して固定する固定部材である。固定部材２０は、この実施の形態では、主体部材１０の内面片１１と弓形の外面片１２との間の上下の端部に挿入して左や右の脚部１Ｌや１Ｒを囲む可撓性のバンド２１と、上記バンドの重ね合わせた両端部を通してバンドが緩むのを防止する締め付け筒２２が示されているが、固定部材２０はこれに限定されず、弓形の外面片１２を外に向けて主体部材１０の上下の各端部を左右の脚部１Ｌや１Ｒに緊縛するもの、又はビス等であってもよい。
【００１０】
主体部材１０は図２、図５に示したように、下部ビニールシート３の上端を取付けた横桟２を横溝１４に受入れ、上下の係合部１３、１３を脚部１Ｌ、１Ｒに係合させて内面片１１を脚部１Ｌ、１Ｒに垂直に沿わせ、主体部材１０の上下の各端部の固定部材２０で主体部材１０に固定し、弓形の外面片１２を外に向ける。この場合、ビニールハウスの側面に横桟２がない位置であっても、脚部１Ｌ、１Ｒに主体部材１０を取付けることが出きる。そして、ビニールハウスの側面に、前後方向に所定の間隔で一列にゴムバンドＲ，Ｒ…を地上から一定の高さの位置に張り渡していく。したがって、左右の主ビニールシート４Ｌ（４Ｒ）の巻き取り部４ａの側面上にゴムバンドＲ，Ｒ…が所定の間隔で地上から一定の高さの位置に張り渡されて、巻き取り部４ａを内側に付勢する。
【００１１】
天候の良いときには、図３にＡで示したように、左右の主ビニールシート４Ｌ（４Ｒ）の巻き取り部４ａを弓形の外面片１２よりも上の位置にしておき、巻き取り部４ａと下部ビニールシートの上縁との間に換気用の空間Ｓを形成し、この空間Ｓを通じハウスの内部に通風する。この状態で雨が降ったら、図３にＢで示したように、主ビニールシート４Ｌ、４Ｒの巻き取り部４ａを弓形の外面片１２の上向きの上部斜面１２ａからその下の垂直部分１２ｂの下端に達するまで降ろす。これにより、主ビニールシート４Ｌ（４Ｒ）の巻き取り部４ａは下部ビニールシート３の上端を取付けた横桟２よりも下に位置するので、斜め下向き（矢印Ｄ）の空間が生じる。従って、外で雨が降っても主ビニールシート４Ｌ（４Ｒ）の下方部分で遮られて雨はハウスの内部に吹き込まない。
【００１２】
また、ハウスを密閉するには、図３にＣで示したように、主ビニールシート４Ｌ，４Ｒの巻き取り部４ａを更に降ろし、巻き取り部４ａを弓形の外面片１２よりも下に位置させる。これにより、主ビニールシートの下方部分は下部ビニールシートの外に重なり、ビニールハウスの内部を外から密封することができる。
【００１３】
図４は他の例の主体部材１０ａを示している。主体部材１０ａは、内面片１１に設けられた横溝１４の底部に内面片１１と交差方向に平な舌片１６，１６が左右に突出す構成を有する以外は、主体部材１０と同じである。この舌片１６，１６は主体部材１０ａを固定部材２０で横桟２に締め付ける際に、主体部材１０ａの取付け部としての利用や、回り止めしての利用ができる。
【００１４】
【発明の効果】
前述したクランク型張り出し棒では換気する場合、密閉する場合で、数多くのクランク型張り出し棒を９０度宛回動しなければならなかったが、本発明では主体部材１０を動かす必要はなく、主ビニールシートを多く降ろすか（密閉）、多く降ろしたものを少し引き上げるだけの操作で、密閉、換気が行えると共に、換気中にハウス内への雨の吹込みを防止できる。又、数多くのクランク型張り出し棒を垂直軸心で回動可能に取付けるような手数もなく主体部材を設置できる。更に、主体部材は、下部ビニールシートの上縁部を取付けた構成を横溝に受入れ、内面片の上下一対の係合部でビニールハウスの垂直な脚部に位置決めして固定されるので横桟と垂直な脚部との組み立て強度も高まる。
【図面の簡単な説明】
【図１】（ａ）は本発明の一実施の形態の換気用具を外側から見た斜視図である。
（ｂ）は同上の内側から見た斜視図である。
【図２】同上の換気用具の取付け状態の斜視図である。
【図３】図２の取付け状態での換気状態と密閉状態の説明図である。
【図４】他の実施の形態の換気用具を内側から見た斜視図である。
【図５】本発明の換気用具をビニールハウスに取付けた状態の説明図である。
【図６】従来のビニールハウスにおける換気装置の斜視図である。
【符号の説明】
１  主フレーム
１Ｌ、１Ｒ  左の脚部、右の脚部
２  横桟
３  下部ビニールシート
４ａ  主ビニールシートの巻き取り部
４Ｌ，４Ｒ  左右の主ビニールシート
１０，１０ａ  換気用具の主体部材
１１  主体部材の内面片
１２  主体部材の外面片
１３  内面片の係合部
１４  内面片の横溝
１５  補強材
１６  舌片
２０  固定部材
２１  固定部材の可撓バンド
２２  固定部材の締付け筒
３０  換気装置
Ｓ  換気用の空間
Ｇ  地上
【図１】
2004321037.tif 000003
【図２】
2004321037.tif 000004
【図３】
2004321037.tif 000005
【図４】
2004321037.tif 000006
【図５】
2004321037.tif 000007
【図６】
2004321037.tif 000008